(57)【要約】  副搬送波を有する信号（４）を第１の装置（１）から第２の装置（２、２ａ）へ送信するダイバーシティシステム（３）において、異なる位置に置かれたアンテナ（２５、２６）と結合され信号（４）を受信する受信器（２２、２２ａ）は、受信したアンテナ信号を副搬送波ベクトルに副搬送波毎に及びアンテナ（２５、２６）毎に変換する変換モジュール（３８、３８ａ）及び副搬送波ベクトルを副搬送波毎に処理する処理モジュール（３９、３９ａ）と共に提供される。そして、受信したアンテナ信号は、もはや如何なるサブバンドにも分離されないが、送信されるべき信号（４）に既に存在する副搬送波に従い分離される。副搬送波を有する返送信号（５）を、第２の装置（２、２ａ）から第１の装置（１）へ送信するため、異なる位置に置かれたアンテナ（２５、２６）と結合され返送信号（５）を送信する送信器（２１、２１ａ）は、副搬送波毎に及びアンテナ毎に副搬送波ベクトルを生成する逆処理モジュール（４９）及び副搬送波ベクトルを送信されるべきアンテナ信号に変換する逆処理モジュール（４８、４８ａ）と共に提供される。ダイバーシティシステム（３）の全体の処理能力が向上される。
2007520139.tif 000002
【特許請求の範囲】
【請求項１】
ダイバーシティシステムであって、少なくとも２つの副搬送波を有する信号を第１の装置から第２の装置へ送信し、第１の装置は、前記信号を送信する送信器を有し、第２の装置は、異なる位置に置かれた少なくとも２つのアンテナと結合され前記信号を受信する受信器を有し、受信器は、受信したアンテナ信号を副搬送波ベクトルに副搬送波毎に及びアンテナ毎に変換する変換モジュール、及び副搬送波ベクトルを副搬送波毎に処理する処理モジュールを有する、ダイバーシティシステム。
【請求項２】
前記変換モジュールは、第１の時間間隔の間に第１のアンテナを介して受信した第１のアンテナ信号を変換し、及び第２の時間間隔の間に第２のアンテナを介して受信した第２のアンテナ信号を変換する、請求項１記載のダイバーシティシステム。
【請求項３】
少なくとも２つの副搬送波を有する返送信号を前記第２の装置から前記第１の装置へ更に送信し、第１の装置は、前記返送信号を受信する受信器を更に有し、第２の装置は、異なる位置に置かれた少なくとも２つのアンテナと結合され前記返送信号を送信する送信器を更に有し、送信器は、副搬送波ベクトルを副搬送波毎に及びアンテナ毎に生成する逆処理モジュール、及び前記副搬送波ベクトルを送信されるべきアンテナ信号に変換する逆変換モジュールを有する、請求項１記載のダイバーシティシステム。
【請求項４】
前記逆変換モジュールは、第１の時間間隔の間に第１の副搬送波ベクトルを第１のアンテナを介して送信されるべき第１のアンテナ信号に変換し、及び第２の時間間隔の間に第２の副搬送波ベクトルをアンテナを介して送信されるべき第２のアンテナ信号に変換する、請求項３記載のダイバーシティシステム。
【請求項５】
装置であって、少なくとも２つの副搬送波を有する信号を更なる装置から受信し、異なる位置に置かれた少なくとも２つのアンテナと結合され前記信号を受信する受信器を有し、受信器は、受信したアンテナ信号を副搬送波ベクトルに副搬送波毎に及びアンテナ毎に変換する変換モジュール、及び前記副搬送波ベクトルを副搬送波毎に処理する処理モジュールを有する、装置。
【請求項６】
前記変換モジュールは、第１の時間間隔の間に第１のアンテナを介して受信した第１のアンテナ信号を変換し、及び第２の時間間隔の間に第２のアンテナを介して受信した第２のアンテナ信号を変換する、請求項５記載の装置。
【請求項７】
少なくとも２つの副搬送波を有する返送信号を他の装置へ更に送信し、異なる位置に置かれた少なくとも２つのアンテナと結合され前記返送信号を送信する送信器を更に有し、送信器は、副搬送波ベクトルを副搬送波毎に及びアンテナ毎に生成する逆処理モジュール、及び副搬送波ベクトルを送信されるべきアンテナ信号に変換する逆変換モジュールを有する、請求項５記載の装置。
【請求項８】
前記逆変換モジュールは、第１の時間間隔の間に第１の副搬送波ベクトルを第１のアンテナを介して送信されるべき第１のアンテナ信号に変換し、及び第２の時間間隔の間に第２の副搬送波ベクトルを第２のアンテナを介して送信されるべき第２のアンテナ信号に変換する、請求項７記載の装置。
【請求項９】
方法であって、少なくとも２つの副搬送波を有する信号を異なる位置に置かれた少なくとも２つのアンテナを介して受信し、前記方法は、受信したアンテナ信号を副搬送波ベクトルに副搬送波毎に及びアンテナ毎に変換する変換段階、及び前記副搬送波ベクトルを副搬送波毎に処理する処理段階を有する、方法。
【請求項１０】
処理プログラムであって、少なくとも２つの副搬送波を有する信号を異なる位置に置かれた少なくとも２つのアンテナを介して受信し、前記処理プログラムは、受信したアンテナ信号を副搬送波ベクトルに副搬送波毎に及びアンテナ毎に変換する変換機能、及び副搬送波ベクトルを副搬送波毎に処理する処理機能を有する、処理プログラム。
【請求項１１】
変換モジュールであって、少なくとも２つの副搬送波を有する信号を更なる装置から受信する装置で利用され、前記装置は、異なる位置に置かれた少なくとも２つのアンテナと結合され前記信号を受信する受信器を有し、受信器は、受信したアンテナ信号を副搬送波ベクトルに副搬送波毎に及びアンテナ毎に変換する変換モジュール、及び前記副搬送波ベクトルを副搬送波毎に処理する処理モジュールを有する、変換モジュール。
【請求項１２】
処理モジュールであって、少なくとも２つの副搬送波を有する信号を更なる装置から受信する装置で利用され、前記装置は、異なる位置に置かれた少なくとも２つのアンテナと結合され前記信号を受信する受信器を有し、受信器は、受信したアンテナ信号を副搬送波ベクトルに副搬送波毎に及びアンテナ毎に変換する変換モジュール、及び前記副搬送波ベクトルを副搬送波毎に処理する処理モジュールを有する、処理モジュール。
【発明の詳細な説明】
【技術分野】
【０００１】
本発明は、少なくとも２つの副搬送波を有する信号を第１の装置から第２の装置へ送信するダイバーシティシステムに関する。本発明はまた、少なくとも２つの副搬送波を有する信号を更なる装置から受信する装置、方法及び処理プログラムに関する。本発明は更に、装置で利用する変換モジュール及び処理モジュールに関する。
【背景技術】
【０００２】
このようなダイバーシティシステムの例は、無線網のような直交周波数分割多重システムである。
【０００３】
従来のダイバーシティシステムは、特許文献１で知られている。特許文献１の図５は、アンテナ、アンテナ毎のフロントエンド、フロントエンド毎の高速フーリエ変換器、及び高速フーリエ変換器毎の合成器と結合された受信器を開示している。各高速フーリエ変換器は、入力信号を第１のサブバンド信号、第２のサブバンド信号、第３のサブバンド信号等に分離する。第１、第２、第３の合成器は、第１、第２、第３のサブバンド信号全てを更なる処理のため第１、第２、第３の合成されたサブバンド信号に合成する。複雑さを軽減するため、各高速フーリエ変換器は、入力信号を低次のサブバンド信号に分離して良い。この場合、分離器は合成器の後段に設けられる必要がある。
【０００４】
知られているダイバーシティシステムは、特に比較的複雑なので不利である。つまり、受信したアンテナ信号は比較的多くのサブバンドに分離される必要があるか、又はこれら受信したアンテナ信号が低次のサブバンドに分離される場合、分離器が設けられる必要がある。
【特許文献１】米国特許第５５２８５８１号明細書
【発明の開示】
【発明が解決しようとする課題】
【０００５】
本発明の目的は、特に、それぞれ少なくとも２つの副搬送波を有する受信したアンテナ信号を比較的複雑でない方法で処理できるダイバーシティシステムを提供することである。
【０００６】
本発明の更なる目的は、特に、それぞれ少なくとも２つの副搬送波ベクトルを有する受信したアンテナ信号を比較的複雑でない方法で処理できる装置、方法及び処理プログラムを提供すること、及び装置で利用する変換モジュール及び処理モジュールを提供することである。
【課題を解決するための手段】
【０００７】
本発明によるダイバーシティシステムは、少なくとも２つの副搬送波を有する信号を第１の装置から第２の装置へ送信することを特徴とする。第１の装置は、信号を送信する送信器を有する。第２の装置は、異なる位置に置かれた少なくとも２つのアンテナと結合され信号を受信する受信器を有する。受信器は、受信したアンテナ信号を副搬送波ベクトルに副搬送波毎に及びアンテナ毎に変換する変換モジュール、及び副搬送波ベクトルを副搬送波毎に処理する処理モジュールを有する。
【０００８】
受信したアンテナ信号を副搬送波ベクトルに副搬送波毎及びアンテナ毎に変換する変換モジュールを設けることにより、受信されたアンテナ信号は、もはや如何なるサブバンドにも分離されないが、送信されるべき信号に既に存在する副搬送波に従い分離される。言い換えると、本発明によると、受信したアンテナ信号は、本来存在する境界に従い分離される。処理モジュールは、副搬送波ベクトルを副搬送波毎に処理する。結果として、比較的複雑さを伴わず、ダイバーシティシステムは全体の処理能力を向上させるだろう。
【０００９】
本発明によるダイバーシティシステムの実施例は、変換モジュールは、第１の時間間隔の間に第１のアンテナを介して受信した第１のアンテナ信号を変換し、及び第２の時間間隔の間に第２のアンテナを介して受信した第２のアンテナ信号を変換することを特徴とする。この変換モジュールは、変換モジュールの１つの変換器を２つ以上のアンテナに有利に利用させる時分割多重方法で利用される。
【００１０】
本発明によるダイバーシティシステムの実施例は、少なくとも２つの副搬送波を有する返送信号を第２の装置から第１の装置へ更に送信することを特徴とする。第１の装置は、返送信号を受信する受信器を更に有する。第２の装置は、異なる位置に置かれた少なくとも２つのアンテナと結合され返送信号を送信する送信器を更に有する。送信器は、副搬送波ベクトルを副搬送波毎に及びアンテナ毎に生成する逆処理モジュール、及び副搬送波ベクトルを送信されるべきアンテナ信号に変換する逆変換モジュールを有する。そして、受信したアンテナ信号の変換及び処理の結果は、逆処理モジュール及び逆変換モジュールで、送信されるべきアンテナ信号を生成するために利用される。これは全て第２の装置で行われ、そして有利な結果として、第１の装置はもはや変換モジュール及び処理モジュールを有する受信器を必要としない（このような受信器は信号受信の向上に伴い返送信号の受信を向上させるために必要であろう）。この場合、第２の装置は、例えば移動端末に対応する第１の装置より高価で高電力消費の例えば基地局のような物に対応する。勿論、両方の装置がそれぞれ４個の全てのモジュールを有する場合でも、ダイバーシティシステムは全体の処理能力の向上を示すだろう。望ましくは、しかし排他的でなく、装置の受信器及び送信器は共に、アンテナスイッチ、アンテナ分離器又はアンテナ送受信切り替え器等を介して同一のアンテナ対に結合される。しかしながら、受信器及び送信器が異なるアンテナ対に結合されている場合でさえ、ダイバーシティシステムの全体の処理能力は、そのようなモジュールを有さないダイバーシティシステムと比べ向上される。
【００１１】
本発明によるダイバーシティシステムの実施例は、逆変換モジュールは、第１の時間間隔の間に第１の副搬送波ベクトルを第１のアンテナを介して送信されるべき第１のアンテナ信号に変換し、第２の時間間隔の間に第２の副搬送波ベクトルを第２のアンテナを介して送信されるべき第２のアンテナ信号に変換することを特徴とする。この逆変換モジュールは、逆変換モジュールの１つの逆変換器を２つ以上のアンテナに有利に利用させる時分割多重方法で利用される。
【００１２】
本発明による装置は、少なくとも２つの副搬送波を有する信号を更なる装置から受信する。本発明による装置は、異なる位置に置かれた少なくとも２つのアンテナと結合され信号を受信する受信器を有する。受信器は、受信したアンテナ信号を副搬送波ベクトルに副搬送波毎に及びアンテナ毎に変換する変換モジュール、及び副搬送波ベクトルを副搬送波毎に処理する処理モジュールを有する。
【００１３】
本発明による装置の実施例は、変換モジュールは、第１の時間間隔の間に第１のアンテナを介して受信した第１のアンテナ信号を変換し、及び第２の時間間隔の間に第２のアンテナを介して受信した第２のアンテナ信号を変換することを特徴とする。
【００１４】
本発明による装置の実施例は、少なくとも２つの副搬送波を有する返送信号を他の装置へ更に送信する。本発明による装置は、異なる位置に置かれた少なくとも２つのアンテナと結合され返送信号を受信する送信器を更に有する。送信器は、副搬送波ベクトルを副搬送波毎に及びアンテナ毎に生成する逆処理モジュール、及び副搬送波ベクトルを送信されるべきアンテナ信号に変換する逆変換モジュールを有する。
【００１５】
本発明による装置の実施例は、逆変換モジュールは、第１の時間間隔の間に第１の副搬送波ベクトルを第１のアンテナを介して送信されるべき第１のアンテナ信号に変換し、第２の時間間隔の間に第２の副搬送波ベクトルを第２のアンテナを介して送信されるべき第２のアンテナ信号に変換することを特徴とする。
【００１６】
本発明による方法は、少なくとも２つの副搬送波を有する信号を異なる位置に置かれた少なくとも２つのアンテナを介して受信する。本方法は、受信したアンテナ信号を副搬送波ベクトルに副搬送波毎に及びアンテナ毎に変換する変換段階、及び副搬送波ベクトルを副搬送波毎に処理する処理段階を有する。
【００１７】
本発明による処理プログラムは、少なくとも２つの副搬送波を有する信号を異なる位置に置かれた少なくとも２つのアンテナを介して受信する。本プログラムは、受信したアンテナ信号を副搬送波ベクトルに副搬送波毎に及びアンテナ毎に変換する変換機能、及び副搬送波ベクトルを副搬送波毎に処理する処理機能を有する。
【００１８】
本発明による変換モジュールは、少なくとも２つの副搬送波を有する信号を更なる装置から受信する装置で利用される。本装置は、異なる位置に置かれた少なくとも２つのアンテナと結合され信号を受信する受信器を有し、受信器は、受信したアンテナ信号を副搬送波ベクトルに副搬送波毎に及びアンテナ毎に変換する変換モジュール、及び副搬送波ベクトルを副搬送波毎に処理する処理モジュールを有することを特徴とする。
【００１９】
本発明による処理モジュールは、少なくとも２つの副搬送波を有する信号を更なる装置から受信する装置で利用される。本装置は、異なる位置に置かれた少なくとも２つのアンテナと結合され信号を受信する受信器を有し、受信器は、受信したアンテナ信号を副搬送波ベクトルに副搬送波毎に及びアンテナ毎に変換する変換モジュール、及び副搬送波ベクトルを副搬送波毎に処理する処理モジュールを有することを特徴とする。
【００２０】
本発明による方法及び本発明による処理プログラム及び本発明による変換モジュール及び本発明による処理モジュールの実施例は、本発明によるダイバーシティシステムの実施例に対応する。
【００２１】
本発明は、特に、副搬送波が送信されるべき信号に存在する場合に、受信したアンテナ信号は如何なるサブバンドにも分離されるべきではないという認識に基づく。本発明はまた、特に、受信されたアンテナ信号は送信されるべき信号に既に存在する副搬送波に従い分離されるという基本的考えに基づく。
【００２２】
本発明は、特に、それぞれ少なくとも２つの副搬送波を有する受信したアンテナ信号を比較的複雑でない方法で処理できるダイバーシティシステムを提供するという課題を解決する。そして本発明は、特に、ダイバーシティシステムの全体の処理能力が向上するので有利である。
【発明を実施するための最良の形態】
【００２３】
本発明の以上の及び他の特徴は、以下に説明される実施例を参照した説明から明らかであろう。
【００２４】
図１は、本発明によるダイバーシティシステム３のブロック図を示す。ダイバーシティシステム３は、第１の装置１及び第２の装置２を有し、信号４を第１の装置１から第２の装置２へ送信し、返送信号５を第２の装置２から第１の装置１へ送信する。更に、第１の装置１は、分離器１３を介してアンテナと結合された送信器１１及び受信器１２を有する。第２の装置２は、それぞれ２つのアンテナとアンテナスイッチ２３を介して結合された受信器２２及び送信器２１を有する。各信号４、５は、少なくとも２つの副搬送波を有する。
【００２５】
図２は、本発明による装置２のブロック図を示す。装置２は、それぞれ互いに処理システム２４を介して結合された受信器２２及び送信器２１を有する。受信器２２は、第１のアンテナ２５とアンテナスイッチ２３を介して結合される。アンテナスイッチ２３は、第１の受信したアンテナ信号を第１の（０又は低い）中間周波数信号に周波数変換する第１の混合器３３と結合される。更に第１の混合器３３は、発振信号を受信する発振器３７と更に結合される。第１の（０又は低い）中間周波数信号は、第１の直並列変換器３５を介して、例えば高速フーリエ変換器である変換モジュール３８の第１の入力へ供給される。受信器２２は、第２のアンテナ２６とアンテナスイッチ２３を介して結合される。アンテナスイッチ２３は、第２の受信したアンテナ信号を第２の（０又は低い）中間周波数信号に周波数変換する第２の混合器３４と結合される。更に第２の混合器３４は、発振信号を受信する発振器３７と更に結合される。第２の（０又は低い）中間周波数信号は、第２の直並列変換器３６を介して、例えば高速フーリエ変換器である変換モジュール３８の第２の入力へ供給される。
【００２６】
変換モジュール３８は、受信したアンテナ信号を副搬送波ベクトルに副搬送波毎に及びアンテナ２５、２６毎に処理する。更に、変換モジュール３８は、例えば第１の高速フ―リエ変換器９１及び第２の高速フーリエ変換器９２を有し、及び第１のアンテナ２５を介して受信した第１の副搬送波ベクトルを処理モジュール３９の第１の入力へ供給し、及び副搬送波ベクトルを副搬送波毎に処理するために第２のアンテナ２６を介して受信した第２の副搬送波ベクトルを処理モジュール３９の第２の入力へ供給する。処理モジュール３９から到来した処理された副搬送波ベクトルは、従来の直交周波数分割多重デマッパーのようなデマッパー４０へ供給される。デマッパー４０は、結果として生じた信号を処理システム２４へ送信する。
【００２７】
送信器２１は、処理システム２４から生じた従来の直交周波数分割多重デマッパーのようなマッパー５０を介した元の信号に応じ、副搬送波ベクトルを副搬送波毎に及びアンテナ２５、２６毎に生成する逆処理モジュール４９を有する。第１のアンテナ２５を介して送信されるべき第１の副搬送波ベクトルは、副搬送波毎に逆変換モジュール４８の第１の入力へ供給される。第２のアンテナ２６を介して送信されるべき第２の副搬送波ベクトルは、副搬送波毎に逆変換モジュール４８の第２の入力へ供給される。逆変換モジュール４８は、例えば第１の逆高速フーリエ変換器９３及び第２の逆高速フーリエ変換器９４を有する。及び第１のアンテナ２５を介して送信されるべき変換された第１の副搬送波ベクトルは、並列直列変換器４５の第１の入力へ供給される。及び第２のアンテナ２６を介して送信されるべき変換された第２の副搬送波ベクトルは、並列直列変換器４６を介して第２の混合器４４へ供給される。混合器４３、４４の両方は、発振信号を受信する発振器４７と更に結合され、及び変換された副搬送波ベクトルをアンテナスイッチ２３及びアンテナ２５、２６を介して送信されるべき高周波数のアンテナ信号に周波数変換する。
【００２８】
図３は、本発明による別の装置２ａのブロック図を示す。図３は、図２に示された本発明による装置２のブロック図と以下の点を除いて同じである。装置２ａは、図２に示された受信器２２及び送信器２１と以下の点を除いて同じである受信器２２ａ及び送信器２１ａを有する。第１に、受信器２２ａでは、変換モジュール３８は変換モジュール３８ａにより置き換えられる。この変換モジュール３８ａは、例えば第１の時間間隔の間に第１のアンテナ２５を介して受信した第１のアンテナ信号を変換し、第２の時間間隔の間に第２のアンテナ２６を介して受信した第２のアンテナ信号を変換する、ただ１つの高速フーリエ変換器９５を有する。これは、例えば、スイッチを用い、直列並列変換器３５、３６の出力を高速フーリエ変換器９５と交互に結合し、及び高速フーリエ変換器９５の出力を処理モジュール３９の入力と交互に結合することにより行われる。更に、１つ以上の直列並列変換器３５、３６及び／又は高速フーリエ変換器９５及び／又は処理モジュール３９は、バッファーを必要として良い。また、このようなバッファーは、ブロックの間に置かれて良い。
【００２９】
第２に、送信器２１ａでは、逆変換モジュール４８は逆変換モジュール４８ａにより置き換えられる。この逆変換モジュール４８ａは、例えば第１の時間間隔の間に第１の副搬送波ベクトルを第１のアンテナ２５を介して送信されるべき第１のアンテナ信号に変換し、第２の時間間隔の間に第２の副搬送波ベクトルを第２のアンテナ２６を介して送信されるべき第２のアンテナ信号に変換する、ただ１つの逆高速フーリエ変換器９６を有する。これは、例えば、スイッチを用い、処理モジュール４９の出力を逆高速フーリエ変換器９６と交互に結合し、及び逆高速フーリエ変換器９６の出力を並列直列並列変換器４５、４６の入力と交互に結合することにより行われる。これら並列直列変換器４５、４６の１つ以上及び／又は逆高速フーリエ変換器９６及び／又は処理モジュール４９は、バッファーを必要として良い。また、このようなバッファーは、ブロックの間に置かれて良い。結果として、（逆）変換器は省略され、又は言い換えるとチップ面積は節約されるが、（逆）変換器は高速で動作する必要が有るかも知れない。
【００３０】
受信したアンテナ信号を副搬送波ベクトルに副搬送波毎及びアンテナ毎に変換する変換モジュール３８、３８ａを設けることにより、受信されたアンテナ信号は、もはや如何なるサブバンドにも分離されないが（従来技術）、送信されるべき信号に既に存在する副搬送波に従い分離される。処理モジュール３９は、副搬送波ベクトルを副搬送波毎に処理する。結果として、比較的複雑さを伴わず、ダイバーシティシステム３は全体の処理能力を向上させるだろう。この考えの背景にあるものは、受信したアンテナ信号を副搬送波より狭い帯域を有するサブバンドに分離することは、複雑さを増し効率を減じること、及び受信したアンテナ信号を副搬送波より広い帯域を有するサブバンドに分離することは、受信したアンテナ信号を受信したアンテナ信号に既に存在する副搬送波に従い分離する時に実現されるべき処理能力の向上を減じる。本発明によると、受信されたアンテナ信号は、本来存在する境界に従い分離される。
【００３１】
逆変換モジュール４８を設けることにより、受信器２２、２２ａで受信したアンテナ信号の変換及び処理の結果は、逆処理モジュール４９及び逆変換モジュール４８、４８ａで、送信器２１、２１ａで送信されるべきアンテナ信号を生成するために利用される。これは全て装置２、２ａで行われ、そして有利な結果として、装置１はもはや少なくとも２つのアンテナと結合され変換モジュール及び処理モジュールを有する受信器を必要としない（このような受信器は信号４の受信の向上に伴い返送信号５の受信を向上させるために必要であろう）。この場合、装置２、２ａは、例えば移動端末に対応する装置１より高価で高電力消費の例えば基地局のような物に対応する。勿論、それぞれ４個の全てのモジュールを有する両方の装置１、２、２ａの場合でも、ダイバーシティシステム３は全体の処理能力の向上を示す。
【００３２】
図４は、処理モジュール３９のブロック図を示す。処理モジュール３９は、４個の副搬送波を切り替える４個のスイッチ７１−７４を有する。スイッチ７１（７２、７３、７４）は、変換器９１から生じる第１（第２、第３、第４）の副搬送波ベクトル又は変換器９２から生じる第１（第２、第３、第４）の副搬送波ベクトルの何れかを選択する。更に、スイッチ７１−７４は、誤りベクトル度測定のような、副搬送波の品質評価と連携するアルゴリズムを通じて制御される。選択処理の代わりに、例えば線形結合及び重み付け結合のような、より高度な処理が利用され得る。このような処理は、従来一般的であり、例えば特許文献１に記載されている。勿論、一般に、より多くの又は少ないスイッチはより多くの又は少ない副搬送波を切り替えるために存在して良く、また必ずしも１対１に対応する必要はない。
【００３３】
図５は、別の処理モジュール３９ａのブロック図を示す。処理モジュール３９ａは、変換器９１から生じる第１の副搬送波ベクトルと変換器９２から生じる第２の副搬送波ベクトルを結合する重み付け合成器８１を有する。重み付け方法で結合するために必要なアルファ値を得るため、２つの誤りベクトル度制定器８２、８３は、２つの副搬送波ベクトルの誤りベクトル度を制定し、副搬送波ベクトルの品質値を決定する。比分割器８３は、これら品質値を分割する。ルックアップテーブル８５は、分割された品質値をアルファ値として利用される適切な値に変換する。任意的に、平均化器８６は、適切な値を複数の符号に亘り平均し（変換モジュール３８、３８ａは、通常、例えば直交周波数分割多重符号のような符号毎に変換する）、アルファ値を生成する。明確化のため、構成要素８１−８６は、第１の副搬送波ベクトルを処理するためだけに示される。同様の構成要素は、第２、第３、第４の副搬送波ベクトルを処理するため、必要であろう。又は（逆）変換モジュール３８ａ、４８ａの説明されたような多重化機構が設けられる。
【００３４】
（逆）変換モジュール３８、３８ａ、４８、４８ａ及び（逆）処理モジュール３９、３９ａ、４９は、ハードウェア、ソフトウェア又は両方の混合を通じて実現されて良い。ソフトウェアは、示されないプロセッサーを介して又は処理システム２４を介して実行されて良い。装置２、２ａが基地局である場合、この処理システム２４は、固定網接続、スイッチ等を更に有して良い。装置２、２ａが移動端末である場合、この処理システム２４は、フィルター、増幅器、マイクロフォン、拡声器、キーボード、ディスプレイ等のマンマシンインターフェースを更に有して良い。アンテナ２５、２６は、アンテナスイッチ２３（又はアンテナ送受信切り替え器又はアンテナ分離器）を介して受信器２２、２２ａ及び送信器２１、２１ａにより利用される１つのアンテナ対を形成する。代案として、異なるアンテナ対が利用されて良い。
【００３５】
留意すべき点は、以上に説明された実施例は、本発明を制限するものではないことである。当業者は、請求の範囲から逸脱することなく、多くの代替の実施例を考案できるだろう。請求項では、括弧内の如何なる参照符号も、請求項を制限すると見なされるべきではない。「有する」及び類似の表現は、請求項に記載された以外の構成要素又は段階の存在を排除するものではない。単数表記の要素は、その要素の複数の存在を排除するものではない。本発明は、複数の個別の要素を有するハードウェアにより、及び適切に設定されたコンピューターにより実施され得る。複数の手段を列挙した装置の請求項では、これら複数の手段は、１つ及び同一のハードウェア要素により実施され得る。特定の手段が相互に異なる従属請求項で引用されることは、これら手段の組み合わせが効果的に利用できないことを示すものではない。
【図面の簡単な説明】
【００３６】
【図１】本発明による装置を有する本発明によるダイバーシティシステムのブロック図である。
【図２】受信器及び送信器を有する本発明によるダイバーシティシステムのブロック図である。
【図３】受信器及び送信器を有する本発明による別の装置のブロック図である。
【図４】本発明による装置の処理モジュールのブロック図である。
【図５】本発明による装置の別の処理モジュールのブロック図である。
【図１】
2007520139.tif 000003
【図２】
2007520139.tif 000004
【図３】
2007520139.tif 000005
【図４】
2007520139.tif 000006
【図５】
2007520139.tif 000007
【国際調査報告】
2007520139.tif 000008
2007520139.tif 000009
2007520139.tif 000010